(57)【要約】【課題】ガラス部材のシート接触面の汚れを確実に取り除くことのできる画像読取装置の清掃具を提供する。【解決手段】シートをガラス部材に接触させながらシートに形成された画像を画像読取手段により読み取るようにする。そして、ガラス部材のシート接触面を、シート接触面の汚れを掻き落とす掻き落とし部材１０５と、シート接触面の汚れを拭き取る拭き取り部材１０３とを有し、掻き落とし部材１０５がシート接触面に当接すると同時に拭き取り部材１０３がシート接触面に圧接するように構成された清掃具１００により清掃するようにする。【選択図】図４
2008199214.tif 000002
【特許請求の範囲】
【請求項１】
シートの画像を読み取る画像読取手段と、前記画像読取手段と対向して設けられたガラス部材とを備え、シートを前記ガラス部材に接触させながら前記画像読取手段によりシートに形成された画像を読み取る画像読取装置の清掃具において、
前記ガラス部材のシート接触面の汚れを掻き落とす掻き落とし部材と、前記シート接触面の汚れを拭き取る拭き取り部材と、前記拭き取り部材と前記掻き落とし部材を保持する保持部とを有し、前記掻き落し部材が前記シート接触面に当接すると同時に前記拭き取り部材が前記シート接触面に圧接するように構成されたことを特徴とする画像読取装置の清掃具。
【請求項２】
前記拭き取り部材を弾性部材により形成し、
前記掻き落とし部材と前記弾性部材により形成された前記拭き取り部材とを、前記拭き取り部材の弾性変形範囲で前記拭き取り部材を前記掻き落とし部材より突出した状態で前記保持部に並設したことを特徴とする請求項１に記載の画像読取装置の清掃具。
【請求項３】
前記保持部と前記拭き取り部材との間に設けられた弾性部材を有し、
かつ前記拭き取り部材と前記掻き落とし部材を、前記弾性部材の弾性変形範囲で前記拭き取り部材を前記掻き落とし部材より突出した状態で前記保持部に並設したことを特徴とする請求項１記載の画像読取装置の清掃具。
【請求項４】
前記シート接触面を清掃する際、前記拭き取り部材と前記掻き落とし部材とが前記シート接触面に倣うように構成したことを特徴とする請求項１ないし３のいずれか１項に記載の画像読取装置の清掃具。
【請求項５】
前記シート接触面を清掃する際、前記拭き取り部材と前記掻き落とし部材とが前記シート接触面に倣う方向に移動するよう前記保持部を回動可能に設けたことを特徴とする請求項４記載の画像読取装置の清掃具。
【請求項６】
前記シート接触面を清掃する際、前記拭き取り部材と前記掻き落とし部材とが前記シート接触面に倣うよう前記保持部を傾斜させたことを特徴とする請求項４記載の画像読取装置の清掃具。
【請求項７】
前記シート接触面を清掃する際、シート接触面側に設けられた当接部を支点として前記拭き取り部材と前記掻き落とし部材とが前記シート接触面に倣う方向に回動することを特徴とする請求項６記載の画像読取装置の清掃具。
【請求項８】
前記保持部と前記掻き落とし部材との間に設けられた弾性部材を有し、
前記掻き落とし部材は、前記弾性部材を弾性変形させながら前記シート接触面に倣う方向に移動することを特徴とする請求項７記載の画像読取装置の清掃具。
【発明の詳細な説明】
【技術分野】
【０００１】
本発明は、シートの画像を読み取る画像読取装置の清掃具に関し、特に画像が読み取られる際シートが接触するガラス部材のシート接触面を清掃するものに関する。
【背景技術】
【０００２】
従来、複写機等にはシートである原稿の画像を読み取る画像読取装置を備えたものがある。そして、このような画像読取装置として、原稿搬送装置により原稿をガラス部材であるコンタクトガラス上に搬送し、コンタクトガラスの下方に位置する画像読取手段により原稿の画像を読み取る、いわゆる「流し読み」を行うものがある。また、原稿をガラス部材である原稿台ガラス上に載置し、画像読取手段を副走査方向に移動させながら原稿を読み取る固定読みを行うものがある。
【０００３】
ところで、画像読取装置にて読み取られる原稿には、鉛筆等のカーボン、十分に乾いていないボールペン等のインク、修正液、のり等の、さまざまな付着物がついている場合がある。そして、このような付着物は、固定読みを行うため原稿を原稿台ガラス上に載置した際には原稿台ガラスのシート積載面に、また流し読みの場合には原稿がコンタクトガラスに接触しながら通過する際に、コンタクトガラスのシート接触面に付着する場合がある。
【０００４】
ここで、このように原稿台ガラスのシート積載面又はコンタクトガラスのシート接触面に付着物が存在する場合、付着物は原稿画像と共に読み取られるため、読み取り画像に不要な画像が現れる。特に、流し読みの場合は、コンタクトガラスのシート接触面上の付着物は原稿搬送方向のスジ状の画像となって現れる。
【０００５】
このため、従来、コンタクトガラスに接触してコンタクトガラスのシート接触面を清掃する清掃具を備えたものがある（特許文献1参照）。
【０００６】
【特許文献１】特開平１１−０７２９７５号公報
【発明の開示】
【発明が解決しようとする課題】
【０００７】
ところで、このような従来の清掃具は、柔らかなスポンジや布等の材質から成るものを使用しているため、清掃具は、鉛筆等のカーボン、十分に乾いていないボールペン等のインク等を清掃するには十分な効果を発揮することができる。
【０００８】
しかし、清掃具をこのような材質とした場合には、コンタクトガラスのシート接触面上に付着して乾燥固着してしまった修正液やのり等の汚れに対しては、十分な清掃効果を得ることができない。
【０００９】
そこで、本発明は、このような現状に鑑みてなされたものであり、コンタクトガラスや原稿台ガラスのようなガラス部材のシート接触面の汚れを確実に取り除くことのできる画像読取装置の清掃具を提供することを目的とするものである。
【課題を解決するための手段】
【００１０】
本発明は、シートの画像を読み取る画像読取手段と、前記画像読取手段と対向して設けられたガラス部材とを備え、シートを前記ガラス部材に接触させながら前記画像読取手段によりシートに形成された画像を読み取る画像読取装置の清掃具において、前記ガラス部材のシート接触面の汚れを掻き落とす掻き落とし部材と、前記シート接触面の汚れを拭き取る拭き取り部材と、前記拭き取り部材と前記掻き落とし部材を保持する保持部とを有し、前記掻き落とし部材が前記シート接触面に当接すると同時に前記拭き取り部材が前記シート接触面に圧接するように構成されたことを特徴とするものである。
【発明の効果】
【００１１】
本発明のように、ガラス部材のシート接触面を清掃する清掃具を、掻き落とし部材がシート接触面に当接すると同時に拭き取り部材がシート接触面に圧接するように構成することにより、ガラス部材のシート接触面の汚れを確実に取り除くことができる。
【発明を実施するための最良の形態】
【００１２】
図１は本発明の第１の実施の形態に係る画像読取装置を備えた画像形成装置の概略構成を示す図である。
【００１３】
図１において、２００は複写機、２０１は複写機本体（以下、装置本体という）であり、この装置本体２０１にはシートに画像を形成する画像形成部２０３が配置され、装置本体２０１の上面には画像読取装置２０２が配置されている。更に、装置本体２０１の下部には画像形成部２０３にシートを給送するカセット給送装置２０４がそれぞれ配置されている。
【００１４】
ここで、画像形成部２０３は、電子写真感光体ドラム（以下、感光体ドラムという）１０、現像器１１等を有している。そして、感光体ドラム１０の表面に、レーザスキャナ３から射出されたレーザ光が走査されると感光体ドラム表面には潜像が形成され、さらにこの潜像を現像器１１によって現像することにより、感光体ドラム表面にトナー画像が形成される。またこの後、感光体ドラム１０と転写帯電器６とにより構成される転写部にシートが搬送されると、感光体ドラム１０に形成されたトナー画像がシートに転写される。
【００１５】
一方、カセット給送装置２０４は転写部ヘシートを給送するためのものであり、装置本体２０１の底部に装填されたカセット４と、このカセット４に収納されたシートを給送する給送ローラ４ａとを備えている。
【００１６】
画像読取装置２０２は、原稿台ガラス２２上に載置された原稿画像、或は流し読みにより原稿画像を読み取るためのものである。そして、原稿画像を読み取った後は、画像情報を電気的な画像信号に変換し、この電気的な画像信号に変換された画像情報を既述した画像形成部２０３のレーザスキャナ３に入力するようにしている。
【００１７】
次に、このように構成された複写機２００の画像形成動作について説明する。
【００１８】
まず、原稿の画像情報を画像読取装置２０２によって読み取ると、この画像情報は画像処理された後、電気信号に変換されて画像形成部２０３のレーザスキャナ３に伝送される。なお、画像情報は不図示のパソコン等の外部機器から画像形成部２０３に入力される場合もある。
【００１９】
そして、画像形成部２０３では、感光体ドラム１０の表面をレーザスキャナ３から射出された画像情報に対応するレーザ光により走査して感光体ドラム上に潜像を形成し、この後、この潜像を現像器１１により現像する。これにより、感光体ドラム１０の表面にはトナー画像が形成される。
【００２０】
一方、この動作に並行してカセット給送装置２０４では、シートを給送ローラ４ａにより給送するようにしている。そして、このように給送されたシートはレジストローラ５へと搬送される。なお、このときレジストローラ５は停止しており、これによりシートは斜行が補正され、この位置でー旦停止して待機する。
【００２１】
この後、レジストローラ５が回転し、待機していたシートがタイミングを合わせて感光体ドラム１０と転写帯電器６とにより構成される転写部に給送され、このニップ部を通過する際、感光体ドラム上のトナー画像がシートに転写される。
【００２２】
そして、このようにしてトナー画像が転写されたシートは定着装置７に搬送され、この定着装置７を通過する際、加熱及び加圧されることにより、トナー画像がシート表面に定着される。なお、このようにトナー像が定着されたシートは、この後排紙ローラ８により排出トレイ９に排出される。
【００２３】
ところで、画像読取装置２０２は、図２に示すように画像読取装置本体２０２Ａと、その上方に配置され、画像読取装置本体背面側に不図示のヒンジを介して開閉可能に設けられた自動原稿給送装置（以下、ＡＤＦという）４０とより構成されている。
【００２４】
ここで、画像読取装置２０２は、原稿載置台１２に載置されたシートである原稿Ｄの画像を読み取るため、画像読取装置本体２０２Ａ側に第１画像読み取り手段２１を備え、ＡＤＦ４０側に第２画像読み取り手段４１を備えている。
【００２５】
画像読取装置２０２は、ＡＤＦ４０に設けられた原稿載置台１２に載置された原稿Ｄを一枚ずつ順次搬送して、所定位置に停止した第１画像読み取り手段２１で画像を読取る片面シートスルー読み取りモード（以下、流し読みモードという）を備えている。
【００２６】
また、原稿載置台１２に載置された原稿Ｄを一枚ずつ順次搬送し、第１画像読み取り手段２１及び第２画像読み取り手段４１の両方で原稿の表面及び裏面の画像を読取る両面シートスルー読み取りモード（以下、両面流し読みモードという）を備えている。さらに、原稿台ガラス２２に載置された原稿画像を第１画像読み取り手段２１を移動させて読み取るＢＯＯＫ読み取りモード（以下、固定読みモードという）を備えている。
【００２７】
画像読取装置本体２０２Ａは、既述した第１画像読み取り手段２１を備えると共に上面には原稿台ガラス２２を備えている。さらに、上面の原稿台ガラス２２の原稿搬送方向上流側に、流し読みモード時に第１画像読み取り手段２１にて画像を読み取る際、原稿が接触するガラス部材である第１コンタクトガラス２３ａを備えている。
【００２８】
ここで、第１画像読み取り手段２１は、原稿の表面（第１面）の画像を読み取るためのものである。そして、原稿表面を照明する照明手段２１ｃ、複数のミラー２１ｄ及び結像レンズ２１ｅによって構成された光学系２１ｆ、複数の光電変換素子を一列に配置したラインＣＣＤ（Ｃｈａｒｇｅ  Ｃｏｕｐｌｅｄ  Ｄｅｖｉｃｅ）２１ｇを有している。なお、２１ｂは、これら照明手段２１ｃ、ミラー２１ｄ等が収納される光学箱２１ｂである。
【００２９】
そして、固定読みモードの場合は、ガラス部材である原稿台ガラス２２上に載置されている原稿Ｄに対し、照明手段２１ｃにより光を照射しながら第１画像読み取り手段２１を矢印Ｆに示す副走査方向に移動させるようにしている。なお、照明手段２１ｃから照射された後、原稿面から反射した光は、光学系２１ｆにより、ラインＣＣＤ２１ｇに結像され、原稿の一方の面の画像情報が光電変換され、電気信号に変換される。
【００３０】
また、流し読みモードの場合は、第１コンタクトガラス２３ａの下方に第１画像読み取り手段２１を停止させた状態で、ＡＤＦ４０によって搬送される原稿Ｄに照明手段２１ｃにより光を照射することにより、原稿画像を読み取るようにしている。
【００３１】
なお、図３は、第１画像読み取り手段２１を移動させるための駆動部の構成を示す図である。図３において、２４はガイドレールであり、第１画像読み取り手段２１は、このガイドレール２４に沿って移動するように構成されている。２７は、プーリ２５ａ，２６に掛け渡された無端のタイミングベルトであり、第１画像読み取り手段２１は、固定部２１ｈにおいてタイミングベルト２７に固定されている。２８はタイミングベルト２７に張力を与えるテンショナーである。
【００３２】
そして、プーリ２５ａが駆動モータ２９より駆動力を受けて回転すると、第１読み取り手段２１は矢印Ｆ方向に移動するように構成されている。
【００３３】
ＡＤＦ４０は、流し読みモードの際、第１コンタクトガラス２３ａの下方で停止している第１画像読み取り手段２１による原稿画像の読み取りが可能となるよう原稿を搬送して第１コンタクトガラス上を通過させるためのものである。また、両面流し読みモードの際には、原稿を搬送して第１コンタクトガラス上を通過させた後、第２画像読み取り手段４１に搬送するためのものである。
【００３４】
このＡＤＦ４０は、図２に示すように略Ｕ字状の原稿搬送路（以下、Ｕターンパス）４０ａを有し、このＵターンパス４０ａの上流側には、原稿載置台１２上の原稿Ｄを送り出すピックアップローラ４３が設けられている。また、Ｕターンパス４０ａの上流側には、送り出された原稿Ｄを１枚に分離するための互いに圧接した分離ローラ４４ａ及び逆転ローラ４４ｂ、原稿Ｄの有無を検出する原稿有無センサ４５が設けられている。
【００３５】
第１コンタクトガラス２３ａの上流側には、原稿Ｄを第１画像読み取り手段２１により画像を読み取る第１読み取り部に向けて搬送する第１搬送ローラ対４６、原稿Ｄの先端部及び後端部を検出する第１原稿エッジセンサ４７が設けられている。また、第１コンタクトガラス２３ａの下流側には、第２搬送ローラ対４８、原稿Ｄの先端部及び後端部を検出する第２原稿エッジセンサ４９が設けられている。
【００３６】
さらに、第２搬送ローラ対４８の下流側には、原稿Ｄを原稿排紙トレイ５０上に排出する第３搬送ローラ対５１が設けられている。そして、この第２搬送ローラ対４８と第３搬送ローラ対５１との間に、両面流し読みモードの際、原稿の裏面（第２面）を読み取るための第２画像読み取り手段４１が設けられている。また、この第２画像読み取り手段４１と対向してガラス部材である第２コンタクトガラス２３ｂが設けられている。
【００３７】
なお、６１は開閉カバーであり、この開閉カバー６１は、ヒンジ６２を中心に矢印Ｇ方向に開閉可能に構成されている。そして、後述する第２コンタクトガラス２３ｂを清掃する場合は、この開閉カバー６１を開放するようにしている。
【００３８】
ここで、第２画像読み取り手段４１は、原稿の裏面を照明する第２照明手段４１ｃ、複数のミラー４１ｄ及び結像レンズ４１ｅによって構成された光学系４１ｆ、ライン状のＣＣＤ４１ｇで構成され、ＡＤＦ内の所定位置に固定配置されている。
【００３９】
そして、両面流し読みモードの際、第１画像読み取り手段２１により表面画像が読み取られた原稿は、この後、第２画像読み取り手段４１に搬送されるようになっている。なお、原稿が搬送されると、第２画像読み取り手段４１では、原稿Ｄの裏面に対し照明手段４１ｃにより光を照射し、原稿面から反射した光を光学系４１ｆにより、ＣＣＤ４１ｇに結像され、原稿の他方の面の画像情報が光電変換され、電気信号に変換される。
【００４０】
固定読みモードの際には、ＡＤＦ４０は正面側を持ち上げることで、原稿台ガラス２２の手前側を大きく開放した後、原稿台ガラス２２に原稿を載置するようにしている。なお、ＡＤＦ４０の下面には固定読みモード時に原稿Ｄを原稿台ガラス２２に密着するための白地板４２が取り付けられている。
【００４１】
次に、このように構成された画像読取装置２０２における各読み取りモードにおける読み取り動作について説明する。
【００４２】
両面流し読みモードの場合は、第１画像読み取り手段２１は第１コンタクトガラス２３ａの下方の位置で停止している。そして、読み取り開始操作が行われると、まず原稿載置台１２に載置された原稿Ｄを、ピックアップローラ４３によって最上位のものから一枚ずつ送り出して搬送する。
【００４３】
次に、原稿ＤをＵターンパス４０ａで約１８０度反転させた後、第１搬送ローラ対４６によって第１コンタクトガラス２３ａ上に搬送する。この際、原稿の表面の画像情報を、第１コンタクトガラス２３ａの下方で停止している第１画像読み取り手段２１によって読み取る。
【００４４】
この後、表面の画像情報が読み取られた原稿を第２搬送ローラ対４８で搬送し、第２コンタクトガラス２３ｂ上において第２画像読み取り手段４１によって原稿裏面の画像情報を読み取る。この後、画像を読み取られた原稿を第３搬送ローラ対５１により搬送し、原稿排紙トレイ５０上に排出する。
【００４５】
流し読みモードの場合は、両面流し読みモードと同様に、第１画像読み取り手段２１は第１コンタクトガラス２３ａの下方の位置で停止している。そして、両面流し読みモードと同様の動作で第１画像読み取り手段２１によって原稿表面の画像情報を読み取る。なお、この流し読みモードの場合は、この後、第２画像読み取り手段４１による読み取りを行うことなく、原稿を第３搬送ローラ対５１により搬送し、原稿排紙トレイ５０上に排出する。
【００４６】
固定読みモードの場合は、まずＡＤＦ４０を開放し、原稿台ガラス２２に原稿Ｄを、画像情報面を下側にして載置する。次に、読み取り開始操作により、第１画像読み取り手段２１を駆動部（図３参照）によって原稿台ガラス２２の下方にまで移動した後に、画像情報を読み取りながら第１画像読み取り手段２１を移動させて画像情報を読み取る。
【００４７】
ところで、両面流し読みモードにおいて、原稿を第２コンタクトガラス２３ｂに接触させながら原稿画像の読み取りを行う場合、原稿により第２コンタクトガラス２３ｂの原稿接触面（シート接触面）が汚れる場合がある。
【００４８】
この場合には、図４に示すような清掃具１００を用いて第２コンタクトガラス２３ｂの清掃を行うようにしている。ここで、図４において、１０１は清掃具１００の保持部であるフレーム、１０２は持ち手であり、第２コンタクトガラス２３ｂの清掃を行う場合、ユーザーはこの持ち手１０２を持って第２コンタクトガラス２３ｂの清掃を行う。
【００４９】
１０３は、第２コンタクトガラス２３ｂ上の汚れを拭き取る拭き取り部材であり、拭き取り部材１０３としては、布、不織布などを用いることができる。１０４は、拭き取り部材１０３を第２コンタクトガラス２３ｂに対して適度な押圧力にて圧接させるよう拭き取り部材１０３とフレーム１０１との間に設けられた弾性部材である。
【００５０】
１０７はガイドリブであり、後述する図５に示すようにＡＤＦ４０側（第２コンタクトガラス側）に設けられ、第２コンタクトガラス２３ｂの長手方向に平行に延設された当接部であるガイドレール６０ｂに対してわずかな隙間を持って係合可能に構成されている。
【００５１】
１０５は第２コンタクトガラス２３ｂ上の付着物を掻き落とすための掻き落とし部材（以下、スクレーパという）であり、ガイドリブ１０７の延設方向に対して弾性部材１０４および拭き取り部材１０３の両側に設けられている。
【００５２】
即ち、これら拭き取り部材１０３及びスクレーパ１０５は、フレーム１０１に、ガイドリブ１０７の延設方向に並設されている。なお、このスクレーパ１０５の材質は、例えばＰＯＭ、ポリプロピレン、ポリエチレン等の、第２コンタクトガラス２３ｂの表面を傷つけない硬さを有する材料を選択する。また、スクレーパ１０５の剛性は、拭き取り部材１０３の剛性よりも高い。
【００５３】
ここで、スクレーパ１０５に対して拭き取り部材１０３の方が突出するように拭き取り部材１０３および弾性部材１０４の厚さが構成されている。これにより、後述するように第２コンタクトガラス２３ｂに拭き取り部材１０３を当接させた場合、まず拭き取り部材１０３が第２コンタクトガラス２３ｂの原稿接触面側（シート接触面側）に接触するようになる。
【００５４】
この後、さらに第２コンタクトガラス２３ｂに清掃具１００を押し付けると、拭き取り部材１０３が弾性変形し、これにより第２コンタクトガラス２３ｂの原稿接触面にスクレーパ１０５が当接するようになっている。つまり、本実施の形態においては、拭き取り部材１０３の突出量は、弾性部材１０４または拭き取り部材１０３の弾性変形範囲内としている。
【００５５】
また、フレーム１０１は、第２コンタクトガラス２３ｂを清掃する際、拭き取り部材１０３が第２コンタクトガラス２３ｂの原稿接触面側に圧接すると同時にスクレーパ１０５が原稿接触面側に当接するように第２コンタクトガラス側に屈曲している。
【００５６】
次に、このような画像読取装置２０２の清掃具１００を用いた第２コンタクトガラス２３ｂの清掃方法について説明する。
【００５７】
第２コンタクトガラス２３ｂを清掃する場合、まずＡＤＦ４０を開いた状態で、図２に示す開閉カバー６１を、図５に示すように開く。これにより、第２コンタクトガラス２３ｂが露出すると共に、ガイドレール６０ｂが露出し、清掃具１００のガイドリブ１０７との係合が可能になる。
【００５８】
次に、清掃具１００を矢印Ｋで示す方向に差し入れ、図６に示すようにガイドリブ１０７とガイドレール６０ｂとを係合させる。なお、このガイドリブ１０７のガイドレール６０ｂへの係合方向Ｋは、清掃具１００の持ち手１０２の軸線方向Ｊと略平行とする。
【００５９】
ここで、清掃具１００のフレーム１０１は、拭き取り部材１０３側が持ち手１０２の軸線方向Ｊに対してガイドレール６０ｂ側に向かって屈曲している。このため、清掃具１００をガイドレール６０ｂに係合した場合、まずフレーム１０１に取り付けられた拭き取り部材１０３が第２コンタクトガラス２３ｂに当接する。
【００６０】
次に、このようにガイドリブ１０７をガイドレール６０ｂに係合させた後、さらに清掃具１００を矢印Ｋに押し込むと、拭き取り部材１０３が図７の（ｂ）に示す第２コンタクトガラス２３ｂの原稿接触面２３ｂ１に圧接する。これにより、弾性部材１０４が図７の（ａ）の状態から、図７の（ｂ）に示すように弾性変形する。これにより、拭き取り部材１０３が第２コンタクトガラス２３ｂに圧接すると共に、スクレーパ１０５が第２コンタクトガラス２３ｂに当接するようになる。
【００６１】
ここで、図６に示すように清掃具１００のガイドリブ１０７は、ガイドレール６０ｂに、わずかな隙間を持って係合しているため、この隙間内で清掃具１００が傾くことが可能である。この結果、清掃具１００をさらに第２コンタクトガラス側に押し込むと、清掃具１００が傾き、これに伴いスクレーパ１０５の表面全体が第２コンタクトガラス２３ｂに接触するのでスクレーパ１０５の幅全体にわたって掻き落とし効果を得ることができる。
【００６２】
そして、この後、このように清掃具１００を、第２コンタクトガラス２３ｂに押し付けながらガイドレール６０ｂに沿って往復移動させると、第２コンタクトガラス２３ｂの原稿接触面上に乾燥固着した付着物をスクレーパ１０５で掻き落とすことができる。これと同時に、第２コンタクトガラス２３ｂに圧接した拭き取り部材１０３により、第２コンタクトガラス２３ｂの原稿接触面上のインクや紙粉等の固着力の弱い付着物を拭き取ることができる。
【００６３】
なお、第２コンタクトガラス２３ｂの原稿接触面との当接部となるスクレーパ１０５の頂部は、ガイドレール６０ｂに沿った清掃具１００の往復方向と交差する方向に延びている。
【００６４】
この結果、第２コンタクトガラス２３ｂ上に付着した修正液やのり等の乾燥固着した汚れと、インクや紙粉等の付着力の弱い汚れの両方を、一度の清掃動作で取り除くことができる。
【００６５】
このように、スクレーパ１０５が第２コンタクトガラス２３ｂに当接すると同時に拭き取り部材１０３が第２コンタクトガラス２３ｂに圧接するように構成することにより、第２コンタクトガラス２３ｂの原稿接触面の汚れを確実に取り除くことができる。
【００６６】
なお、これまでの説明においては、拭き取り部材１０３を第２コンタクトガラス２３ｂに圧接するため弾性部材１０４を設けた場合について説明したが、本実施の形態は、これに限らない。例えば、拭き取り部材１０３の材質としてフェルトやスポンジのような弾性を有する材質を用いるようにすれば、拭き取り部材自体が弾性部材１０４の機能を果たすようになる。即ち、拭き取り部材１０３が自身の弾性力によって第２コンタクトガラス２３ｂに圧接するようになる。
【００６７】
また、これまでは画像読取装置２０２の清掃具として第２コンタクトガラス２３ｂの清掃具１００について説明したが、原稿台ガラス２２及び第１コンタクトガラス２３ａの清掃についても、同じ構成の清掃具を用いて行うことが可能である。
【００６８】
また、図５及び図６においては、第１コンタクトガラス２３ａ側にはガイドレール６０ｂを設けていない。しかし、この場合でも、拭き取り部材１０３及びスクレーパ１０５を第１コンタクトガラス２３ａに密着させて、第１コンタクトガラス２３ａに沿って往復移動させるようにすれば、乾燥固着した汚れと、付着力の弱い汚れの両方を清掃することができる。なお、第１コンタクトガラス２３ａ側にもガイドレール６０ｂを設けてもよいことは言うまでもない。
【００６９】
また、原稿台ガラス２２の清掃に際しても、拭き取り部材１０３及びスクレーパ１０５を原稿台ガラス２２に密着させて往復移動させることようにしても良い。これにより、原稿台ガラス２２上に付着した修正液やのり等の乾燥固着した汚れと、インクや紙粉等の付着力の弱い汚れの両方を清掃することができる。
【００７０】
次に、本発明の第２の実施の形態について説明する。
【００７１】
図８は本実施の形態に係る画像読取装置の清掃具の構成を説明する図である。なお、図８において、既述した図５と同一符号は、同一又は相当部分を示している。
【００７２】
本実施の形態においては、図８に示すように、スクレーパ１０５は、回動中心１０５ａを中心に回動可能にフレーム１０１に取り付けられている。また、本実施の形態においては、第２コンタクトガラス２３ｂの原稿接触面側にガイドレール６０ｂを設けている。そして、このガイドレール６０ｂの底部とガイドリブ１０７の先端部とが当接し、それ以上のガイドリブ１０７のガイドレール６０ｂへの進入が規制されるように構成している。
【００７３】
なお、ガイドリブ１０７のガイドレール６０ｂへの挿入方向Ｋは、既述した図５に示すように清掃具１００の持ち手１０２の軸線方向Ｊと略平行かつ、拭き取り部材１０３が第２コンタクトガラス２３ｂに対して近づく方向となっている。
【００７４】
そして、第２コンタクトガラス２３ｂを清掃する場合は、まず清掃具１００のガイドリブ１０７をガイドレール６０ｂに挿入し、この後、持ち手１０２により第２コンタクトガラス２３ｂ側に押し付ける。
【００７５】
ここで、このように清掃具１００を押し付けると、清掃具１００はガイドレール６０ｂとガイドリブ１０７との当接点１０９を支点として図８の矢印Ｌ方向に回動する。この結果、拭き取り部材１０３が第２コンタクトガラス２３ｂの原稿接触面２３ｂ１に圧接し、良好な拭き取り性を得ることができる。
【００７６】
なお、このように清掃具１００が矢印Ｌ方向に回動すると、拭き取り部材１０３と第２コンタクトガラス２３ｂとの角度がわずかに変動する。しかし、拭き取り部材１０３はそれ自身の弾性もしくは弾性部材１０４の作用によって弾性的に第２コンタクトガラス２３ｂに押圧されるため、拭き取り性が確保される。
【００７７】
また、清掃具１００の回動によって掻き落し部材１０５と第２コンタクトガラス２３ｂとの角度がわずかに変動する。しかし、スクレーパ１０５は回動中心１０５ａを中心に第２コンタクトガラス２３ｂに倣うように回動して、スクレーパ１０５の先端部全体が第２コンタクトガラス２３ｂに密着するため、掻き落し性が確保される。
【００７８】
このように、本実施の形態においては、ガイドレール６０ｂとガイドリブ１０７とが当接した後、さらに押し付け力を加えると、清掃具１００は、ガイドレール１０７とガイドリブ６０ｂとの当接点１０９を中心に回動する。
【００７９】
そして、このように清掃具１００が回動することにより、第２コンタクトガラス２３ｂが傾斜している場合でも、拭き取り部材１０３及びスクレーパ１０５を第２コンタクトガラスに確実に圧接させることができる。この結果、既述した第１の実施の形態と同様の清掃性を得ることができる。
【００８０】
このように、本実施の形態によれば、ガイドリブ１０７がガイドレール６０ｂに当接した後、さらに清掃具１００に対して押し付け力を加えると、清掃具１００は、当接点１０９を中心に回動する。これにより、第２コンタクトガラス２３ｂが傾いた状態であっても、拭き取り部材１０３及びスクレーパ１０５を第２コンタクトガラス２３ｂの原稿接触面２３ｂ１に確実に押し付けることができる。
【００８１】
なお、これまでの説明ではスクレーパ１０５は、回動中心１０５ａを中心に回動可能に構成したが、本実施の形態は、これに限らない。例えば、図９に示すように、スクレーパ１０５とフレーム１０１の間に弾性部材１０８を設け、スクレーパ１０５を弾性部材１０８を介してフレーム１０１に取り付けるように構成してもよい。
【００８２】
このように構成した場合、清掃具１００の回動によって生じる掻き落し部材１０５と第２コンタクトガラス２３ｂとの角度変動は、弾性部材１０８によって吸収される。この結果、スクレーパ１０５は弾性部材１０８を弾性変形させながら第２コンタクトガラス２３ｂの原稿接触面２３ｂ１に倣う方向に移動する。これにより、スクレーパ１０５の先端部全体が第２コンタクトガラス２３ｂに密着するため、掻き落し性が確保される。
【図面の簡単な説明】
【００８３】
【図１】本発明の第１の実施の形態に係る画像読取装置を備えた画像形成装置の概略構成を示す図。
【図２】上記画像読取装置に設けられた第１画像読み取り手段と、第２画像読み取り手段の構成を説明する図。
【図３】上記第１画像読み取り手段を移動させる駆動部の構成を説明する図。
【図４】本発明の第１の実施の形態に係る第２コンタクトガラスの原稿接触面を清掃する清掃具の構成を説明する図。
【図５】上記清掃具を用いた第２コンタクトガラスの清掃方法を説明する第１の図。
【図６】上記清掃具を用いた第２コンタクトガラスの清掃方法を説明する第２の図。
【図７】上記清掃具を第２コンタクトガラスに圧接させたときの拭き取り部材及びスクレーパの状態を説明する図。
【図８】本発明の第２の実施の形態に係る画像読取装置の清掃具の構成を説明する図。
【図９】上記清掃具の他の構成を説明する図。
【符号の説明】
【００８４】
２１      第１画像読み取り手段
２２      原稿台ガラス
２３ａ    第１コンタクトガラス
２３ｂ    第２コンタクトガラス
２３ｂ１  原稿接触面
４０      自動原稿給送装置
４１      第２画像読み取り手段
６０ｂ    ガイドレール
６１      開閉カバー
１００    清掃具
１０１    フレーム
１０３    拭き取り部材
１０４    弾性部材
１０５    スクレーパ
１０５ａ  スクレーパの回動中心
１０７    ガイドリブ
２００    複写機
２０１    複写機本体
２０２    画像読取装置
２０２Ａ  画像読取装置本体
Ｄ        原稿
【図１】
2008199214.tif 000003
【図２】
2008199214.tif 000004
【図３】
2008199214.tif 000005
【図４】
2008199214.tif 000006
【図５】
2008199214.tif 000007
【図６】
2008199214.tif 000008
【図７】
2008199214.tif 000009
【図８】
2008199214.tif 000010
【図９】
2008199214.tif 000011